(57)【要約】【課題】本発明は、２種の移動通信システムが存在する際に、各移動通信システムにおける試験実行の確実性を向上することを主目的とする。【解決手段】本発明においては、第１の移動通信システムについての試験を行う際には、第２の移動通信システムを介して試験装置に試験データを送信し、試験装置は、第２の移動通信システムを介してい受信した試験データに基いて、第１の移動通信システムについての試験を行う。更には、試験結果を試験装置から第２の移動通信システムへ送信する。これにより試験対象の移動通信システムに障害が発生していても試験結果を確実に取得することができる。【選択図】            図２
2004247882.tif 000002
【特許請求の範囲】
【請求項１】
第１の移動通信システムに対応した第１の端末装置と、第２の移動通信システムに対応した第２の端末装置と通信可能な試験装置であって、
該第１の移動通信システムを介して前記第１の端末装置が受信した試験データを受信する受信手段と、
該受信した試験データに基いて前記第２の端末装置により、前記第２の移動通信システムに関する試験を行う制御手段と、
を備えたことを特徴とする試験装置。
【請求項２】
前記制御手段は、前記行った試験の結果データを前記第１の端末装置により前記第１の移動通信システムへ送信する制御を行う、
ことを特徴とする請求項１記載の移動通信システム試験装置。
【請求項３】
第１の移動通信システムに対応した第１の端末装置が、該第１の移動通信システムを介して受信した試験データを受信する受信手段と、
該受信した該試験データに基いて第２の移動通信システムに関する試験処理を実行する制御手段と、
を備えたことを特徴とする第２の移動通信システムに対応した端末装置。
【請求項４】
移動通信システムの試験方法において、
他の移動通信システムを介して試験装置に試験データを送信し、
該試験装置は、該試験データに基き、該移動通信システムに関する試験処理を実行する、
ことを特徴とする試験方法。
【請求項５】
前記試験方法において、
少なくとも前記試験処理は同一の第１の基地局制御装置の配下の第１の基地局、第２の基地局にそれぞれ無線接続可能な第１、第２の試験装置間と、第２の基地局制御装置の配下の第３の基地局に無線接続可能な第３の試験装置と前記第１の試験装置間で試験を行い、
該試験の結果を試験管理装置に送信し、
該試験管理装置は、該試験の結果から前記第１、第２の試験装置間で障害を検出したが、前記第１、第３の試験装置間では障害を検出しなかった場合は、前記第１の基地局制御装置における前記第２の基地局用のユニット又は第２の基地局に障害が発生した可能性有りと判定する、
ことを特徴とする試験方法。
【発明の詳細な説明】
【０００１】
【発明の属する技術分野】
本発明は、移動通信システムについての試験を行う試験装置及び試験処理に供する端末装置及び試験方法に関する。特に、試験を実行する際に利用される試験データを該試験装置等に送信する形式を採用する移動通信システムに用いて好適なものである。
【０００２】
【従来の技術】
従来の技術として、特許文献１として後に示す技術が知られている。
【０００３】
このような技術においては、交換機に接続された試験装置からこの交換機を介してこの交換機の配下の基地局に接続された試験用移動機に対して試験するチャネル情報を送信することにより試験を行う。
【０００４】
【特許文献１】
特開平９−１３０３２３号公報（第１図）
【０００５】
【発明が解決しようとする課題】
しかしながら、上述従来の技術においては、試験を試みようとする移動通信システムを介して試験するチャネル情報を試験用移動機に送信するため、試験チャネル情報を予め試験用移動機に記憶しておいたりしなくとも、試験を行うことができるが、試験対象の移動通信システムが試験開始前に試験チャネル情報を正常に試験用移動機に送信できない場合には、指定した試験を開始することができない場合がある。例えば、システム再開後に即試験を行いたい場合でも、システム立上げ後に試験試験チャネル情報を送信しなければならず、システム立上げから試験開始までの準備時間を短縮することができない。また、試験内容が複雑となると、試験前に試験用移動機に送信すべきデータ量が増大し、試験対象の移動通信システムに余計な負荷をかけてしまうこととなり、この負荷が実際の試験時にまで影響を与えてしまい、正しく試験ができないという問題もある。
【０００６】
また、試験を行ったとしても、試験対象の移動通信システム内の障害のため試験結果を交換機に接続された試験装置で収集することができないという問題がある。
【０００７】
また、試験を行ったとしても、移動通信システム内のどの装置、ユニットにおいて障害が発生している可能性があるかといった障害箇所の絞込みが難しいといった問題があった。
【０００８】
本発明の１つの目的はかかる試験における各問題を解決することであり、また、従来の技術によっては得られない後述する種々の特有の効果が得られる装置等を提供することにある。
【０００９】
【課題を解決するための手段】
（１）本発明においては、第１の移動通信システムに対応した第１の端末装置と、第２の移動通信システムに対応した第２の端末装置と通信可能な試験装置であって、該第１の移動通信システムを介して前記第１の端末装置が受信した試験データを受信する受信手段と、該受信した試験データに基いて前記第２の端末装置により、前記第２の移動通信システムに関する試験を行う制御手段とを備えたことを特徴とする移動通信システム試験装置を用いる。
【００１０】
第１の移動通信システムと第２の移動通信システムとは、互いに異なる移動通信システムであるという趣旨であり、例えば、移動通信システムを構成する各ノードの少なくとも１種類以上のノードを共有せず、別個のノードを用いている場合や、無線アクセス方式（例えば、ＣＤＭＡとＴＤＭＡ等）を異にする場合、通信用無線周波数帯域が異なる場合等が挙げられる。また、端末装置とは移動局よりも広い概念で、各移動通信システムに対応した（各移動通信システムにアクセス可能な）無線送受信装置であれば、通常固定的に用いられ、移動利用を目的としない装置まで含む趣旨である。
（２）本発明においては更に、（１）で行った試験結果データを前記第１の端末装置により前記第１の移動通信システムへ送信することを特徴とする移動通信システム試験装置を用いる。
【００１１】
試験結果データは、試験により得られるデータであり、例えば、試験経過において観測される事象、試験完了により得られる試験結果等の情報を含む。
（３）また、本発明においては、第１の移動通信システムに対応した第１の端末装置が、該第１の移動通信システムを介して受信した試験データを受信する受信手段と、該受信した該試験データに基いて第２の移動通信システムに関する試験処理を実行する制御手段とを備えたことを特徴とする第２の移動通信システムに対応した端末装置を用いる。
【００１２】
この端末装置は、（１）のごとく、第１の端末装置が受信した試験データを試験装置を介して受信しない場合であっても、即ち、直接第１の端末装置から試験データを受信する場合も含む趣旨である。
（４）また、本発明においては、移動通信システムの試験方法において、他の移動通信システムを介して試験装置に試験データを送信し、該試験装置は、該試験データに基き、該移動通信システムの試験処理を実行することを特徴とする試験方法を採用する。
（５）また、本発明においては、更に、前記試験方法において、少なくとも前記試験処理は同一の第１の基地局制御装置の配下の第１の基地局、第２の基地局にそれぞれ無線接続可能な第１、第２の試験装置間と、第２の基地局制御装置の配下の第３の基地局に無線接続可能な第３の試験装置と前記第１の試験装置間で試験を行い、該試験の結果を試験管理装置に送信し、該試験管理装置は、該試験の結果から前記第１、第２の試験装置間で障害を検出したが、前記第１、第３の試験装置間では障害を検出しなかった場合は、前記第１の基地局制御装置における前記第２の基地局用のユニット又は第２の基地局に障害が発生した可能性有りと判定することを特徴とする試験方法を採用する。
【００１３】
基地局制御装置とは、基地局の制御を行う装置のことを示し、例えば、交換局自体が基地局の制御を行う場合には、交換局が基地局制御装置に相当することとなる。
（１）本発明においては、第１の移動通信システムに対応した第１の端末装置と、第２の移動通信システムに対応した第２の端末装置と通信可能な試験装置における受信手段は、該第１の移動通信システムを介して前記第１の端末装置が受信した試験データを受信する。更に、制御手段は、該受信した試験データに基いて前記第２の端末装置により、前記第２の移動通信システムに関する試験を行う。
【００１４】
従って、本発明に係る試験装置は、第２の移動通信システムに関する試験を行う際に、第２の移動通信システムを介して試験データを受信せずに、異なるシステムである第１の移動通信システムを介して試験データを受信するので、試験対象の移動通信システム再開後に即試験を行いたい場合でも、システム立上げ前に試験データを他の移動通信システムに送信することができるため、試験対象のシステム立上げから試験開始までの準備時間を短縮することができる。また、試験開始前に試験データを送信することで、試験対象の移動通信システムの負荷等の状態に影響を与え、正しい試験の実施を妨げるようなことが低減される。
（２）また、本発明における制御手段は、更に、試験の結果データを第１の端末装置により第１の移動通信システムへ送信するので、試験対象の移動通信システムに障害等が発生していても、試験結果の回収が可能となる。
（３）また、本発明における端末装置の受信手段は、第１の移動通信システムに対応した第１の端末装置が、該第１の移動通信システムを介して受信した試験データを受信し、制御手段は、該受信した該試験データに基いて第２の移動通信システムに関する試験処理を実行する。
【００１５】
従って、本発明に係る端末装置は、（１）のごとく第１の端末装置との間に試験装置を介在させても、介在させなくとも、いずれの場合であっても、第１の端末装置から試験データを受信し、試験を行うことができる。
（４）また、本発明における移動通信システムの試験方法は、他の移動通信システムを介して試験装置に試験データを送信する。その後、該試験装置は、該試験データに基き、該移動通信システムの試験処理を実行する。
【００１６】
従って、本発明に係る試験装置は、第２の移動通信システムに関する試験を行う際に、第２の移動通信システムを介して試験データを受信せずに、異なるシステムである第１の移動通信システムを介して試験データを受信するので、試験開始前に試験データを送信することで、試験対象の移動通信システムの負荷等の状態に影響を与えることを低減することができる。
（５）また、本発明における移動通信システムの試験方法は、（４）の試験方法において、少なくとも前記試験処理は同一の第１の基地局制御装置の配下の第１の基地局、第２の基地局にそれぞれ無線接続可能な第１、第２の試験装置間と、第２の基地局制御装置の配下の第３の基地局に無線接続可能な第３の試験装置と前記第１の試験装置間で試験を行い、該試験の結果を試験管理装置に送信し、該試験管理装置は、該試験の結果から前記第１、第２の試験装置間で障害を検出したが、前記第１、第３の試験装置間では障害を検出しなかった場合は、前記第１の基地局制御装置における前記第２の基地局用のユニット又は第２の基地局に障害が発生した可能性有りと判定する。
【００１７】
従って、障害が移動通信システムのどの装置又はユニットで発生しているかの絞込みを行うことが容易になる。即ち、試験装置がアクセスする基地局の範囲を隣基地局だけでなく、更に離間した基地局にまで拡大することで、より障害箇所の特定に役立つこととなる。
【００１８】
【発明の実施の形態】
（Ａ）全体構成
図１は、本発明に関連するシステム全体構成図を示す。図において、１０は、試験データの送信及び試験結果の受信を行う試験管理装置を示し、公衆網１と接続されている。２、６は、関門交換局であり、それぞれ公衆網１と第１移動通信網、第２移動通信網との境界に設けられている。
【００１９】
次に点線枠内で囲まれた第１移動通信システム内の構成について参照符号を説明すると、３１  、３２  は第１移動通信システム用の移動交換局を示し、４１  、４２  、４３  は、第１移動通信システム用の基地局制御装置、５１  〜５６  は第１移動通信システム用の基地局を示す。
【００２０】
また、点線枠内で囲まれた第２移動通信システム内の構成について参照符号を説明すると、７１  、７２  は第２移動通信システム用の移動交換局を示し、８１  、８２  、８３  は、第２移動通信システム用の基地局制御装置、９１  〜９６  は第２
移動通信システム用の基地局を示す。
【００２１】
このような移動通信システムは、第１の移動通信システムとして例えば、パーソナルデジタルセルラー（ＰＤＣ）方式を採用し、第２の移動通信システムとして例えば、符号分割多重接続方式を採用した３ＧＰＰ方式を採用することが考えられる。もちろん、パーソナルハンデォーホンシステム（ＰＨＳ）システムと、ＰＤＣシステムとすることもできる。尚、この際には、ＰＨＳシステムは、図１に示した移動通信システムとは網構成に相異する部分があるが、基地局とその基地局を制御する装置が存在する点では共通し、例えば、基地局制御装置と交換局が一体となって設けられてシステムが構築されていても、本実施例にかかる移動通信システムの１つとして採用できる。
（Ｂ）試験装置
次に、本発明に係る試験装置について図２を用いて説明する。図において、１１は、第１移動通信システムに対応した移動局で端末装置の１例であり、１４は、第２移動通信システムに対応した移動局であり端末装置の１例を示す。ここで、対応したとは、少なくともそれぞれの移動通信システムを構成するいずれかの基地局（例えば、移動局１１であれば、基地局５１  〜５６  ・・・のいずれか、移動局１４であれば、基地局９１  〜９６  ・・・のいずれか）にアクセス可能であり、無線接続により、基地局とデータの送（受）信が可能なことを示す。
【００２２】
更に、移動局１１は、無線送受信部１２及び制御部１３を有し、この制御部１３の制御のもと無線送受信部１２を制御して、第１移動通信システムを構成する基地局と無線による通信を行うことができる。
【００２３】
一方、移動局１４は、無線送受信部１５及び制御部１６を有し、この制御部１６の制御のもと無線送受信部１５を制御して、第２移動通信システムを構成する基地局と無線による通信を行うことができる。
【００２４】
１７は、移動局１１、１４のそれぞれと接続された（通信可能な）試験装置を示す。試験装置１７は、移動局１１との通信用の第１インタフェース部１８を備え、更に、移動局１４との通信用の第２インタフェース部１９を備えている。そして、第１インタフェース部１８、第２インタフェース部１９を介して受信したデータは、制御部２０に与えられ、また、制御部２０からのデータが、第１、第２インタフェース部１８、１９それぞれから対応する移動局に送信されることとなる。尚、試験装置１７は、記憶部２１を備え、試験データを含む種々の情報を記憶することができる。  尚、図２においては、移動局１１、１４は移動局と称し、試験装置１７とは別個の装置として説明しているが、これら全てを試験装置と観念し、称すこともできる。即ち、移動局１１、１４は試験装置の一部として、以下の説明の内容を把握することもできる。
（Ｃ）第１の動作
以上説明した構成についての第１の動作について説明する。ここでは、第２移動通信システムにおける試験を実行する場合を想定し、移動局は、基地局５１  及び基地局９１  の無線エリアが重複する部分に位置するものとする。即ち、第１移動通信システム及び第２移動通信システムの双方の基地局と無線通信可能な圏内に当該試験装置（移動局１１、１４含む）を配置する。もちろん、必要に応じて他の基地局５２  、９２  の双方と無線通信可能な圏内に他の試験装置を配置することもでき、異なる移動通信システムの双方の基地局と無線通信可能なエリアに当該試験装置を１つづつ配置することが効率的であり、望ましい。
（１）試験データの送信
試験管理装置１０は、移動局１１に対する発呼を行うと、公知の呼処理手順に基き、移動局１１に対応する移動通信システム１の関門交換局２を介し、更に、移動局１１が位置登録されているエリアを管轄する交換局（ここでは、３１  ）を介して、基地局制御装置４１  の制御のもと、基地局から移動局１１を呼び出すための信号が無線送信される（ここでは、移動局１１が在圏するエリア（位置登録されているエリア）を管轄する基地局が５１  、５２  であったとし、基地局５１  、５２  から無線信号を送信する）。移動局１１は、ここでは基地局５１  の無線エリアに在圏するため、基地局５１  から呼出のための信号を受信する。そして、これに応答する信号を送信元基地局５１  に対して送信し、公知の呼制御処理により、試験管理装置と、移動局１１間で無線区間を含めた通信経路が形成される。
【００２５】
すると、試験管理装置は、移動局１１に対して、形成された通信経路を介して試験データの送信を行う。試験データは、ここでは例えば、試験管理装置１０に設けられた電話機の電話番号等の移動局１４がデータを送信すべき先の装置の識別情報と試験送信用のデータの組み合わせを含むものとすることができる。
（２）試験データの受信
試験管理装置１０から送信された試験データは、移動局１１の無線送受信部１２で無線信号として受信処理され、復調した試験データを制御部１３に与える。制御部１３は、試験データを受信すると、試験装置１７に転送すべく、第１インタフェース部１８へ試験データを送信する。
【００２６】
試験装置１７は、第１インタフェース部１８を介して、試験データを取り込み、記憶部２１へ試験データを格納（記憶）する。
（３）試験送信
さて、試験データを受信した試験装置１７は、試験送信を実行すべく、記憶部２１に記憶した試験データに含まれる、移動局１４がデータを送信すべき先の装置の識別情報と試験送信用のデータを第２インタフェース部１９を介して、移動局１４に送信する。
【００２７】
移動局１４は、第２インタフェース部１９からの当該識別情報と試験送信用のデータを制御部１６が取り込み、無線送受信部１５を制御することにより、その識別情報により示される送信先に対して、発呼を行う。即ち、待受け受信を行っている対象の基地局（ここでは、基地局９１  の無線エリアに在圏しているので、基地局９１  ）に対して、無線信号を送信して前述送信先に対する発呼を行う。
【００２８】
発呼がおこなわれると、公知の呼処理手順により、その送信先（例えば、電話機）が呼び出され、送信先が応答することで、移動局１４と送信先との間で通信路が形成される。
【００２９】
すると、移動局１４の制御部１６は、試験装置１７を介して受信した試験用の送信データを無線送受信部１５を制御して、無線信号として送信し、前記形成された通信路を介して、送信先（例えば、試験管理装置１０に設けられた電話機）に送信する。
（３）試験結果の確認
試験の結果の確認は、試験用の送信データの受信により行うことができる。例えば、試験用の送信データが送信先の電話機のスピーカ又はディスプレイ等に出力又は表示することにより、検証可能な音声や、文字データ等であれば、そのスピーカやディスプレイ等に表示することもできるし、また、電話機に検査用の装置を接続しておき、試験用の送信データを当該装置に転送して、当該装置において、誤り率等の測定を行って、試験の検証を行う等の種種の検証が可能である。
【００３０】
さて、以上が移動通信システム２についての試験を行う際の１実施例であるが、前述試験方法からわかるように、試験データは、試験を行う移動通信システム２を介して送信するのではなく、異なる移動通信システムである移動通信システム１を介して送信し、その試験データに基く試験は移動通信システム２について試験が行われる。このようにすることで、試験対象の移動通信システムが試験開始前には、一時的に試験データを移動局に送信できない状態にあったとしても、異なる移動通信システムを介して試験データを送信するので、試験を開始することができないという不都合が低減される。また、試験データのデータ量が増大しても、試験対象の移動通信システムとは異なる移動通信システムを介して試験データを送信するため、試験開始前に試験対象の移動通信システムに余計な負荷をかけてしまうこととなり、実際の試験にまでその影響が生じ、正しく試験ができないという問題が低減される。
【００３１】
次に、前述試験形態の変形例を幾つか説明する。
（４）試験形態の変形例
・試験データの変形例
前述実施例では、試験データに試験用の送信データを含ませ、移動局に試験用の送信データを送信させて試験を行うこととしたが、試験データをより高度にシナリオ化することもできる。即ち、移動局１４が動作すべき手順を示すデータを試験データに含ませ、試験装置１７又は移動局１４はその手順に従って動作し、試験を行うことができる。
【００３２】
例えば、手順としては、１０時００分に試験用の移動局１４の電源をオンとし（即ち、試験開始前は、試験データを受信する移動局１１は電源オンであるが、試験データを受信しない側の移動局１４の電源はオフとすることにより、節電を図ることができる。これは、移動局１４が移動局１１に対して待ちうけ時等の消消費電力が大きい場合に特に有効である。逆の場合は、移動局１１、１４の電源オン、オフを逆としておき、電源オンの移動局１４が試験データを受信することで、試験装置１７は移動局の電源をオンとすればよい。）、次に、移動局１４が試験管理装置１０に備えられた電話機に発呼し、次に、通信路形成後、試験管理装置１７から音声信号又は、データ等を受信し、そのまま折り返して試験管理装置１７に送信し、次に試験終了後移動局１４の電源をオフする等の手順とすることができる。尚、ここにおいて、移動局１４の電源オン、オフ制御は、試験管理装置１７が行えばよい（他方の移動局１１からの信号による制御でもよい）。
【００３３】
このように試験データをシナリオ化することにより、より高度な試験を行うことができ、特に電源オン、オフ制御の指示を含ませることで、節電効果を得ることができる。尚、電源オン、オフ制御の指示は必ずしも、シナリオ化した試験データ内に含めずとも、試験管理装置１０から制御信号を送信することで実現することもできる。
・試験装置の変形例
図３は、試験装置の変形例を示す。図３において、２２、２４は、他の移動局との間で通信を行う際に有線接続するためのインタフェースである対移動局有線インタフェース部を示す。また、２３、２５は、赤外線通信部であり、対外に発光部、受光部が対向するように移動局が配置されることで、赤外線通信を可能とするものである。
【００３４】
さて、この例では、先に説明した試験装置１７は設けられておらず、移動局１１、１４が試験装置として動作することとなる。即ち、第２移動通信システムについて試験を行う場合には、移動局１１が試験データを受信し、制御部１３は、対移動局有線インタフェース部２２又は赤外線通信部２３を介して移動局１４に試験データ（試験データのうち試験に必要なデータのみとしてもよい）を送信する。
【００３５】
移動局１４は、対移動局有線インタフェース部２４又は赤外線通信部２５を介して試験データを受信し、その試験データに基き、先に説明した手順で発呼を行い試験を実行する。尚、後述する試験結果データについては、試験結果データを移動局１４の対移動局有線インタフェース部２４又は赤外線通信部２５から移動局１１の対移動局有線インタフェース部２２又は赤外線通信部２３に送信し、移動局１１は、制御部１３の制御のもと無線送受信部１２から無線信号により送信し、試験管理装置１０に送信することができる。
【００３６】
このように、有線又は赤外線通信により直接移動局間で通信を行うことで試験装置１７を不要とすることができ、省スペース化を図ることができる。
【００３７】
尚、各移動局は先に説明した試験装置の機能をそれぞれそのまま内部に取り込むことにより、試験装置を不要とすることもできるが、好ましくは、移動局の制御プログラムに試験装置の代行処理を行う動作の記述を含ませることにより、試験装置を不要とする。
【００３８】
また、移動局１１、１４のそれぞれに、カメラ、ＧＰＳ機能を搭載することで、試験結果データとして、又は、試験中に送信するデータとして当該カメラで撮影した画像データや、ＧＰＳ機能により測定した位置情報を試験管理装置１０に送信することもできる。尚、その際、試験管理装置１０からカメラ撮影の指示、ＧＰＳ機能による位置測定（又は報告）指示を試験データ又は、試験中に送信するデータに含ませることで、各移動局を制御できる。
【００３９】
このようにすると、試験を実行している対向する移動局の様子（着信ランプの点灯状況、対移動局インタフェース部の接続状態、赤外線通信部の方向等の外観から観測できる様子）等を撮影し、試験管理装置１０で把握することができるので、試験における問題点の把握に供する情報量が増大する。
【００４０】
又、位置情報により、試験装置（移動局１１、１４）の位置を移動させた場合にも、その位置を試験管理装置１０で把握することができるので、試験結果の分析に供することができる。
・試験結果検証の変形例
前述試験形態においては、移動局１４から試験用の送信データを送信し、試験管理装置１０に設けられた電話機等における表示等によって、試験状況を観測する例を示したが、移動局１４が試験の経過を記憶し、後に試験管理装置１０等にその試験結果データ（試験用のデータ送信中の移動局１４内の各装置の状況（例えば、送信レベル、再送回数等の各種状況）や、試験内容がデータ受信も含む場合には、受信品質（レベル、誤り率等）等の試験中に移動局１４（又は試験装置１７）が観測しうる情報等のこと）を送信することとすることもできる。
【００４１】
このような場合は、試験対象の第２移動通信システムを介して試験管理装置１０等に送信することもできるが、例えば、第２移動通信システムに障害等が発生し、正常な試験ができなかった旨の試験結果データ等については、第２移動通信システムを介して送信することは難しい。
【００４２】
そこで、変形例では、試験結果データについても、試験データ同様、試験対象の第２移動通信システムとは異なる第１移動通信システムを介して送信する。即ち、試験中に移動局１４が観測して得られた情報（試験結果データ）を第２インタフェース部１９を介して試験装置１７に送信し、試験装置１７の制御部２０は、試験結果データを第１インタフェース部１８を介して移動局１１に与える。
【００４３】
移動局１１は、先の試験データ受信の際の着信履歴に基いて、送信元の試験管理装置１０に対して試験結果データを第１移動通信システムの基地局５１  を介して、第１移動通信システム経由で送信する。
【００４４】
試験管理装置１０は、試験結果データをこのように試験対象の移動通信システムとは異なる移動通信システムを介して受信する。
【００４５】
従って、第２移動通信システムに障害等が発生し、正常な試験ができなかった旨の試験結果データ等については、第２の移動通信システムの障害状況にかかわらず、第１の移動通信システムを介して送信することができるため、試験管理装置１０において、移動局１４が観測した試験情報を取得することができることとなる。
【００４６】
尚、この例では、試験結果データは、移動局１４が観測し、観測後、試験装置１７に対して送信することとしたが、試験中に移動局１４が観測した試験情報を逐次試験装置１７に送信することとしたり、移動局１４は試験中の受信データ等を試験装置１７の制御部２０に第２インタフェース部１９を介して送信することで、試験装置１７が観測して試験結果データを生成することも可能である。
（Ｄ）第２の動作
次に、前述システムにおける第２の動作について図４を用いて説明する。ここでは、第１移動通信システムにおける試験を実行する場合を想定し、図２に示す移動局１１、１４及び試験装置１７の組（試験装置Ａと称する）が基地局５１  と基地局９１  の双方の無線エリアが重複する場所に配置され、図２に示す移動局１１、１４及び試験装置１７の組（試験装置Ｂと称する）が基地局５２  と基地局９２  の双方の無線エリアが重複する場所に配置されているものとして説明する。尚、この試験においては、試験装置Ａの移動局１１（以下試験装置Ａに属する装置は、符号にＡを付加して表す）と試験装置Ｂの移動局１１（以下試験装置Ｂに属する装置は符号にＢを付加して表す）との間で通信試験を行うことを特徴とする。
【００４７】
さて、試験管理装置１０において、不図示の操作部を操作することにより前述したような試験シナリオの中から今回の試験シナリオを選択し、試験装置１７Ａ及び試験装置１７Ｂに対して送信する。この際、試験シナリオは、試験装置１７Ａに対しては、移動局１１Ｂに対して発呼を行い、所定のデータを送信（受信）するという手順が含まれ（従って、移動局１１Ｂの識別情報（電話番号等）が送信される）、試験装置１７Ｂに対しては、移動局１１Ａからの発呼に対して応答し、所定のデータを受信（送信）するという手順が含まれる。
【００４８】
このように送信された試験シナリオは、第１移動通信システムでなく、第２移動通信システムを介して送信され、それぞれ、移動局１４Ａ、移動局１４Ｂが受信し、それぞれ試験装置１７Ａ、１７Ｂに対して受信した試験シナリオを先の動作で説明したように送信する。
【００４９】
試験シナリオを受信した試験装置１７Ａは、移動局１１Ａに対して受信した試験シナリオに従って、移動局１１Ｂに対して発呼し、所定のデータを送信（受信）するように、移動局１１Ｂの識別情報（ここでは電話番号とする）を移動局１１Ａに送信する（試験指示する）。
【００５０】
一方、試験装置１７Ｂは、受信した試験シナリオに従って、移動局１１Ａからの発呼に対して応答し、所定のデータを受信（送信）するように、移動局１１Ａの識別情報（ここでは電話番号とする）を移動局１１Ｂに送信する（試験指示する）。
【００５１】
さて、試験指示を受けた、移動局１１Ａは、移動局１１Ｂに対して取得した電話番号を用いて発呼する。移動局１１Ｂは、この発呼により基地局５２  からの呼出信号を受信し、発呼元である移動局１１Ａの識別情報（電話番号）を受信する。ここで、先の試験指示により通知された移動局Ａの識別情報（電話番号）と一致しない場合は、着信拒否とし、一致した場合は着信応答する。
【００５２】
ここでは、一致したものとすると、図のように試験通信中の状態に移行し、移動局１１Ａから移動局１１Ｂへ所定のデータの送信又はその逆方向の送信が行われる。
【００５３】
そして、所定のデータの送受信が完了すると、移動局１１Ａ、１１Ｂは、終話し、試験結果データをそれぞれ、試験装置１７Ａ、１７Ｂに先に示した手順で送信する。
【００５４】
この後、試験管理装置１０から試験結果送信指示が移動局１４Ａに対して送信されると、試験装置１７Ａは移動局１４Ａからその指示を受信し、移動局１４Ａを介して試験結果データを試験管理装置１０へ送信する。また、試験管理装置１０から試験結果送信指示が移動局１４Ｂに対して送信されると、試験装置１７Ｂは移動局１４Ｂからその指示を受信し、移動局１４Ｂを介して試験結果データを試験管理装置１０へ送信する。
【００５５】
このようにして、試験管理装置１０は、双方の試験装置から試験結果を回収することができるが、ここで得られる試験結果は、第１の移動通信システムにおける次のルートに関するものである。
【００５６】
即ち、移動局１１Ａからの送信データは、基地局５１  基地局制御装置４１  、移動交換局３１  、基地局制御装置４１  、基地局５２  、移動局１１Ｂの順に送信されるから、基地局５１  基地局制御装置４１  、移動交換局３１  、基地局制御装置４１  、基地局５２  間の通信パスのチェックを行うことできる。
【００５７】
ここで、各通信装置の接続形態と処理ユニットとを考慮すると、図５に示したように、基地局制御装置４１  において、基地局５１  、５２  に関する処理を行うユニット（例えば、基地局との間のデータの送受信を行う送受信ユニット）は、Ｌ、Ｒと示したように異なる。これは、図のように、基地局制御装置４２  、移動交換局３１  についても同様である。
【００５８】
従って、上記ルートの試験とは、基地局５１  、基地局５２  、基地局制御装置４１  （Ｌ、Ｒ側ユニット）、移動交換局３１  （Ｌ側ユニット）の試験を行ったものということもできる。
【００５９】
そこで、今度は、試験装置Ａと、基地局５３  と基地局９３  の双方の無線エリアが重複する場所に配置された、図２に示す移動局１１、１４及び試験装置１７の組（試験装置Ｃと称する）との間で同様に試験を行う。
【００６０】
この場合、試験シナリオにおいては、試験装置Ｂに関するものを試験装置Ｃに入ら替え、図４のシーケンスも１１Ｂ、１４Ｂ、１７Ｂに替えて１１Ｃ、１４Ｃ、１７Ｃとした試験を行うと、基地局５１  基地局制御装置４１  、移動交換局３１  、基地局制御装置４２  、基地局５３  、移動局１１Ｃの順に送信されるから、基地局５１  基地局制御装置４１  、移動交換局３１  、基地局制御装置４２  、基地局５３  間の通信パスのチェックを行うことできる。
【００６１】
即ち、この試験により、基地局５１  、基地局５３  、基地局制御装置４１  （Ｌ側ユニット）、基地局制御装置４２  （Ｌ側ユニット）、移動交換局３１  （Ｌ、Ｒ側ユニット）の試験を行うことができる。
【００６２】
更に、基地局５４  と、９４  の重複無線エリアに試験装置Ｄを配置して、試験装置Ａ、Ｂ、Ｃ、Ｄ内で考えられる全ての組み合わせについて前述試験を行った結果次のような障害情報を試験管理装置１０が回収したとする。
・試験装置Ａ、Ｂ間：障害無し
・試験装置Ａ、Ｃ間：障害無し
・試験装置Ａ、Ｄ間：障害有り
・試験装置Ｂ、Ｃ間：障害無し
・試験装置Ｂ、Ｄ間：障害有り
・試験装置Ｃ、Ｄ間：障害有り
試験管理装置１０は、この結果から、基地局制御装置４２  （Ｒ側ユニット）（若しくは基地局５４  ）において障害が発生している可能性有りとして障害箇所の絞込みを行うことができる。好ましくは、試験シナリオは、このように異なるルートを形成するように異なる試験装置間で試験を行うように設定し、試験管理装置は、試験結果データにおいて障害が発生しているルートに属する試験装置（ユニット）のうち、他の試験結果データから、障害無しのルートに属するものを除くことで、障害装置（ユニット）を特定する演算処理を実行し、演算結果を不図示の表示部に表示させることができる。
【００６３】
尚、以上の論理により、試験装置Ａ、Ｂ間で障害検出無し、Ａ、Ｃ間で障害検出有りであれば、試験装置Ｃの属する基地局５３  又は基地局制御装置４２  における基地局５３  用のユニットにおいて障害発生の可能性有りと判定でき、試験装置Ａ、Ｂ間で障害検出有り、Ａ、Ｃ間で障害検出無しであれば、試験装置Ｂの属する基地局５２  又は基地局制御装置４１  における基地局５２  用のユニットにおいて障害発生の可能性有りと判定することができる。
（Ｅ）その他の試験（発呼成功率測定試験）
試験データとして、特定の移動局１１に所定期間（例えば１時間、１日等）の間、発呼し、発呼の成功（失敗）を確認しては切断し、再発呼を行うという処理を繰り返す指示を含めることとする。尚、ここで発呼の成功とは、例えば、通信パスを形成できたことであり、失敗とは通信パスを形成できなかったこどであり、少なくとも，発呼により移動通信システム内のいずれかのリソースがその移動局に割り当てられた場合を発呼成功とすることが望ましい。
【００６４】
このようにして、発呼を繰り返す一方、基地局５１  、又はその上位装置である基地局制御装置４１  、移動交換局３１  のいずれかの装置は、通信設備（例えば、無線チャネル数、送受信ユニット、コーデック処理部等）を徐徐に減らす制御を手動又は自動で行う（減らす状況は時間とともに試験管理装置１０に記憶する）。
【００６５】
そして、試験管理装置１０は、試験データを与えた移動局が測定した発呼成功率をその測定した時間情報とともに当該移動局から直接又は先のように他の移動通信システムに対応する移動局経由で取得する。
【００６６】
そして、試験管理装置１０は受信した発呼成功率が低下する時間に対応する通信設備の量を記憶部から読み出し出力（表示）する。
【００６７】
これにより、通信設備として必要とされる最低減の設備が検出可能となり、余剰設備は他の装置に使いまわすことができることとなる。
【００６８】
【発明の効果】
試験対象の移動通信システムが試験開始前に試験データを正常に試験装置に送信できない場合でも、他の移動通信システムを介して試験データを送信することができ、試験を開始することができる。
【００６９】
また、試験内容が複雑になっても、他の移動通信システムを介して試験データを送信するため、試験対象の移動通信システムに余計な負荷をかけてしまうといった問題が低減され、実際の試験に影響を与えてしまうことを防止することができる。
【００７０】
また、試験対象の移動通信システム内に障害があっても、試験結果を試験装置で収集することが可能となる。
【００７１】
また、本発明によれば、移動通信システム内のどの装置、ユニットにおいて障害が発生している可能性があるかといった障害箇所の絞込みに役立つ情報が得られる。
【図面の簡単な説明】
【図１】本発明に関連する移動通信システムの全体構成図を示す。
【図２】本発明に関連する試験装置等を示す図を示す。
【図３】本発明に関連する試験装置等を示す図を示す。
【図４】本発明に関連する移動局間通信試験のシーケンス図を示す。
【図５】本発明に関連する移動通信システム内装置構成図を示す。
【符号の説明】
１          公衆網
２、６      関門交換局
３、７      移動交換局
４、８      基地局制御装置
５、９      基地局
１０        試験管理装置
１１、１４  移動局
１２、１５  無線送受信部
１３、１６  制御部
１７        試験装置
１８        第１インタフェース部
１９        第２インタフェース部
２０        制御部
２１        記憶部
２２、２４  対移動局有線インタフェース部
２３、２５  赤外線通信部
【図１】
2004247882.tif 000003
【図２】
2004247882.tif 000004
【図３】
2004247882.tif 000005
【図４】
2004247882.tif 000006
【図５】
2004247882.tif 000007